(57)【特許請求の範囲】
【請求項１】
吹出グリルと、左右方向で複数に分離された上下風向変更羽根と、分離された前記上下風向変更羽根を連結させる連結機構と、前記上下風向変更羽根の連結機構を駆動させる駆動源とを具備する空気調和機の室内機吹出口構造において、前記連結機構の一部を成す連結軸先端部に、前記分割され隣接する上下風向変更羽根に点接触させる突起を有することを特徴とする空気調和機。
【請求項２】
吹出グリルと、左右方向で複数に分離された上下風向変更羽根と、分離された前記上下風向変更羽根を連結させる連結機構と、前記上下風向変更羽根の連結機構を駆動させる駆動源とを具備する空気調和機の室内機吹出口構造において、前記上下風向変更羽根の連結部の一部に、隣接する前記上下風向変更羽根に点接触させる突起を有することを特徴とする空気調和機。
【発明の詳細な説明】
【０００１】
【発明の属する技術分野】
本発明は、空気調和機の室内機吹出グリルにおいて、分割された上下風向変更羽根間の連結部の構造に関するものである。
【０００２】
【従来の技術】
従来例を図７によって説明する。図７は、従来例における空気調和機の室内機吹出グリル構造図である。空気調和機の室内機吹出グリルには、図７で示される吹出される風の向きを上下・左右に変更する風向変更装置が設けられており、上下方向の風向を調整する上下風向変更羽根１１は、通常１枚で、端部にある軸部１２は駆動源１３に直結していた。また、中央部は吹出グリル上に装着された支点１４によって支えられていた。前記支点１４は吹出される空気を整流する機能も果たしていた。また、左右方向の風向を調整する左右風向変更羽根１５は、通常２分割されていた。
【０００３】
【発明が解決しようとする課題】
しかしながら、上記従来の１枚上下風向羽根の風向変更装置では広角、且つきめ細かい風向制御を得難く、上下風向羽根を分割し、より広角、且つきめ細かい風向制御を得ることを図られていた。
【０００４】
しかし、その際、樹脂成形・組立上のバラツキにより、分割された上下風向変更羽根が隣接する面が接触し、摺動時に異常音が発生したり、上下風向変更羽根のスムーズな摺動運動を妨げるという課題を有していた。
【０００５】
本発明は、このような課題を鑑み、静穏、且つスムーズな上下風向変更羽根の摺動運動により、より広角、且つきめ細かい風向制御を得ることを目的とするものである。
【０００６】
【課題を解決するための手段】
請求項１記載の空気調和機は、吹出グリルと、左右方向で複数に分離された上下風向変更羽根と、分離された前記上下風向変更羽根を連結させる連結機構と、前記上下風向変更羽根の連結機構を駆動させる駆動源とを具備する空気調和機の室内機吹出口構造において、前記連結機構の一部を成す連結軸先端部に、前記分割され隣接する上下風向変更羽根に点接触させる突起を有することを特徴とする。
【０００７】
請求項２記載の空気調和機は、吹出グリルと、左右方向で複数に分離された上下風向変更羽根と、分離された前記上下風向変更羽根を連結させる連結機構と、前記上下風向変更羽根の連結機構を駆動させる駆動源とを具備する空気調和機の室内機吹出口構造において、前記上下風向変更羽根の連結部の一部に、隣接する前記上下風向変更羽根に点接触させる突起を有することを特徴とする。
【０００８】
【発明の実施の形態】
第１の発明の実施の形態である空気調和機は、連結機構の一部を成す連結軸先端部に、前記分割され隣接する上下風向変更羽根に点接触させる突起を有するものである。これにより、上下風向変更羽根の摺動運動時に異常音を発生することなく、スムーズに摺動することが可能となる。
【０００９】
第２の発明の実施の形態である空気調和機は、前記上下風向変更羽根の連結部の一部に、隣接する前記上下風向変更羽根に点接触させる突起を有するものである。これにより、上下風向変更羽根の摺動運動時に異常音を発生することなく、スムーズに摺動することが可能となる。
【００１０】
【実施例】
以下本発明の第１の実施例における空気調和機の室内空気吹出口構造を図１〜図４によって説明する。
【００１１】
図１は、本発明における空気調和機の室内機本体外観斜視図である。図２は、本発明にかかる吹出グリル部に具備された風向変更装置全体の簡易図である。図３は、図２における分割された上下風向変更羽根間の連結部Ａ部の部分拡大図である。図４は、図３の連結軸拡大図である。
【００１２】
居住空間の壁面に取付けられる台枠１、前記台枠１に取付けられる前面枠２、前記前面枠２の前面には吸入グリル３を備えている。前記前面枠２の下部には、居住空間へ温度調整した空気を送り出す吹出口４を有する吹出グリル４ａが形成されており、前記吹出口４には、温度調整された空気の吹出角度（風向）を変更し、且つ、運転停止時には前記吹出口４の閉塞を担うべく風向変更装置５が設けられている。
【００１３】
また、図２に示すように、前記風向変更装置５は、上下方向の空気吹出角度を変更する上下風向変更羽根６と左右方向の空気吹出角度を変更する左右風向変更羽根７とを有し、前面枠２に夫々上下・左右の運動自在に取付けられている。前記左右風向変更羽根７は夫々一体的に運動可能なような複数のグループに分かれており、リード線８ａによって制御装置（図示せず）と電気的に接続された駆動源８により左右方向の空気吹出角度を変更できるように配設されている。
【００１４】
一方、前記上下風向変更羽根６は（本発明実施例では３枚に）分割されており、軸部などで結合した駆動源９と、前記駆動源９とリード線９ａにより電気的に接続された制御装置（図示せず）によって上下方向の空気吹出角度を変更することができるよう制御された運動をする。
【００１５】
図３および図４において、分割された隣接する前記上下風向変更羽根６について、ここでは、説明の都合上、向かって左側に位置する左上下風向変更羽根を６Ｌとし、前記左上下風向変更羽根６Ｌの右側に隣接する位置にある右上下風向変更羽根を６Ｒとする。
【００１６】
前記左上下風向変更羽根６Ｌには、左羽根連結部１０Ｌがクランク形状で同時成形されており、前記左羽根連結部１０Ｌには、前記右上下風向変更羽根６Ｒに組み込まれた右連結軸１１Ｒが挿入される方向に凹形状の左連結穴１２Ｌが施されている。
【００１７】
一方、前記右上下風向変更羽根６Ｒには、右羽根連結部１０ＲがＬ形状で同時成形されており、前記右羽根連結部１０Ｒには、前記左上下風向変更羽根６Ｌに組み込まれた左連結軸１１Ｌが挿入される方向に貫通した右連結穴１２Ｒが施されている。
【００１８】
前記左連結軸１１Ｌと前記右連結軸１１Ｒの形状は、連結軸の製造都合上、図４のとおり連結軸の端部（先端部）１３Ｌに半球状の突起部１４Ｌを施した同一形状を成してはいるが、本発明に関しては、便宜上、前記左連結軸１１Ｌを主体に説明する。
【００１９】
前記左連結軸１１Ｌは、左上下風向変更羽根胴部１５Ｌおよび前記右連結穴１２Ｒを貫通し、端部１３Ｌの前記突起部１４Ｌが前記左羽根連結部１０Ｌの背面１６Ｌに接するような形態で組まれ、一方、前記右連結軸１１Ｒは、右上下風向変更羽根胴部１５Ｒを貫通し、前記左連結穴１２Ｌに挿入された状態で組み込まれる。
【００２０】
その結果、分割された上下風向変更羽根６は隣接する他の上下風向変更羽根と連結されるが、その際、前記左連結軸１１Ｌの端部１３Ｌの前記突起部１４Ｌにて左右方向は安定され、同時に隣接する上下風向変更羽根同士は前記突起部１４Ｌで相互に摺動運動が可能となっている。つまり、前記突起部１４Ｌは、樹脂成形上あるいは組立上のバラツキが発生しやすい隣接する面との接触の際は、点接触となるべく形状（本実施例では半球状）を形成している。
【００２１】
次に、本発明の第２の実施例における空気調和機の室内空気吹出口構造を図５〜図６によって説明する。
【００２２】
図５は、第２の実施例における分割された上下風向変更羽根間の連結部Ａ部の部分拡大図である。図６は、第２の実施例における左連結軸拡大図である。
【００２３】
尚、第１の実施例と同一内容については、同一符号を付し、説明を省略し、第１の実施例と異なる点を中心に説明する。
【００２４】
左上下風向変更羽根６Ｌには、左羽根連結部２０Ｌがクランク形状で同時成形されており、前記左羽根連結部２０Ｌには、右上下風向変更羽根６Ｒに組み込まれた右連結軸２１Ｒが挿入される方向に凹形状の左連結穴１２Ｌが施されている。
【００２５】
さらに、前記左羽根連結部２０Ｌの背面１６Ｌには、図６に示すように、半球状の突起部２３Ｌが施されている。
【００２６】
一方、前記右上下風向変更羽根６Ｒには、右羽根連結部２０ＲがＬ形状で同時成形されており、前記右羽根連結部２０Ｒには、前記左上下風向変更羽根６Ｌに組み込まれた左連結軸２１Ｌが挿入される方向に凹形状の右連結穴２２Ｒが施されている。
【００２７】
前記左連結軸２１Ｌと前記右連結軸２１Ｒの形状は、連結軸の製造都合上、端部に突起部などを設けないシンプルで同一形状を成してもよい。本発明に関しては、便宜上、前記左連結軸２１Ｌを主体に説明する。
【００２８】
前記左連結軸２１Ｌは、左上下風向変更羽根胴部１５Ｌを貫通し、前記右連結穴２２Ｒに挿入された状態で組まれ、一方、前記右連結軸２１Ｒは、右上下風向変更羽根胴部１５Ｒを貫通し、前記左連結穴１２Ｌに挿入された状態で組み込まれる。この時、前記左羽根連結部２０Ｌの背面１６Ｌに施された半球状の突起部２３Ｌは、前記右連結穴２２Ｒの背面部に接するような形態で組まれる。
【００２９】
その結果、分割された上下風向変更羽根６は隣接する他の上下風向変更羽根と連結されるが、その際、前記左羽根連結部２０Ｌの背面１６Ｌに施された半球状の突起部２３Ｌにて左右方向は安定され、同時に隣接する上下風向変更羽根同士は前記突起部２３Ｌで相互に摺動運動が可能となっている。つまり、前記突起部２３Ｌは、樹脂成形上あるいは組立上のバラツキが発生しやすい隣接する面との接触の際は、点接触となるべく形状（本実施例では半球状）を形成している。
【００３０】
【発明の効果】
本発明は上記説明から明らかなように、下記の効果を奏する。
【００３１】
本発明の請求項１に記載の発明によれば、樹脂成形・組立上のバラツキなどにより、分割された上下風向羽根の連結軸先端部と隣接するもうひとつの上下風向変更羽根の連結部壁面が接触する場合であっても、点接触であるため、上下風向変更羽根の摺動運動時に異常音が発生することなく、上下風向羽根のスムーズな摺動運動が図れ、上下方向の風向変更制御をより広角、且つきめ細かいものにすることが可能となる。
【００３２】
また、本発明の請求項２に記載の発明によれば、樹脂成形・組立上のバラツキなどにより、分割された上下風向羽根の連結部壁面と隣接するもうひとつの上下風向変更羽根の連結部壁面が接触する場合であっても、点接触であるため、上下風向変更羽根の摺動運動時に異常音が発生することなく、上下風向羽根のスムーズな摺動運動が図れ、上下方向の風向変更制御をより広角、且つきめ細かいものにすることが可能となる。
【図面の簡単な説明】
【図１】本発明における空気調和機の室内機本体外観斜視図
【図２】本発明における吹出グリルの風向変更装置全体の簡易図
【図３】本発明の第１の実施例における上下風向変更羽根間の連結部Ａ部の部分拡大図
【図４】本発明の第１の実施例における上下風向変更羽根の連結軸拡大図
【図５】本発明の第２の実施例における上下風向変更羽根間の連結部Ａ部の部分拡大図
【図６】本発明の第２の実施例における左連結軸拡大図
【図７】従来例における空気調和機の室内機吹出グリル構造図
【符号の説明】
４  吹出口
４ａ  吹出グリル
６Ｌ、６Ｒ  上下風向変更羽根
１０Ｌ、１０Ｒ  羽根連結部
１１Ｌ、１１Ｒ  連結軸
１２Ｌ、１２Ｒ、２２Ｒ  連結穴
１３Ｌ  連結軸先端部
１４Ｌ、２３Ｌ  突起部
２０Ｌ、２０Ｒ  羽根連結部
２１Ｌ、２１Ｒ  連結軸
【図１】
0003767358.tif 000002
【図２】
0003767358.tif 000003
【図３】
0003767358.tif 000004
【図４】
0003767358.tif 000005
【図５】
0003767358.tif 000006
【図６】
0003767358.tif 000007
【図７】
0003767358.tif 000008